(57)【要約】【解決手段】ソケットコネクタは、相手コネクタに終端接続された複数の電線に電磁リレーを電気接続するために提供される。ソケットコネクタは、リレー実装基部及び電線コネクタを有する誘電性のハウジングを具備する。リレー実装基部は、少なくとも１個のリレーリセプタクルを具備する。リレー実装基部は、その表面に電磁リレーを受容するよう構成されている。複数の端子がハウジングに保持される。各端子は、リレーコンタクト部と、コネクタコンタクト部とを具備する。リレーコンタクト部は、電磁リレーと電気接続するために少なくとも１個のリレーリセプタクル内を延びる。コネクタコンタクト部は、相手コネクタと電気接続するために電線コネクタ内を延びる。
2012529146.tif 000002
【特許請求の範囲】
【請求項１】
相手コネクタに終端接続された複数の電線に電磁リレーを電気接続するためのソケットコネクタであって、
リレー実装基部及び電線コネクタを有する誘電性のハウジングと、該ハウジングに保持される複数の端子とを具備し、
前記リレー実装基部は、少なくとも１個のリレーリセプタクルを具備し、
前記リレー実装基部は、その表面に前記電磁リレーを受容するよう構成され、
前記端子の各々は、リレーコンタクト部と、コネクタコンタクト部とを具備し、
前記リレーコンタクト部は、前記電磁リレーと電気接続するために少なくとも１個のリレーリセプタクル内を延びており、
前記コネクタコンタクト部は、前記相手コネクタと電気接続するために前記電線コネクタ内を延びることを特徴とするソケットコネクタ。
【請求項２】
前記電線コネクタは、内部に前記相手コネクタを受容するよう構成された相手コネクタリセプタクルを具備し、
前記複数の端子のうち少なくともいくつかの端子の前記コネクタコンタクト部は、前記相手コネクタリセプタクル内を延びることを特徴とする請求項１記載のソケットコネクタ。
【請求項３】
前記複数の端子の少なくとも１個は、前記リレーコンタクト部から前記コネクタコンタクト部までの長さで延び、
中間リンクが、前記リレーコンタクト部及び前記コネクタコンタクト部間に延びると共に、前記リレーコンタクト部及び前記コネクタコンタクト部を電気接続することを特徴とする請求項１記載のソケットコネクタ。
【請求項４】
前記電線コネクタは、ラスター・アンシュルス・ステック・テクニーク（ＲＡＳＴ）コネクタを具備することを特徴とする請求項１記載のソケットコネクタ。
【請求項５】
前記ハウジングは内部キャビティを具備し、
前記複数の端子の各々の少なくとも一部は、前記内部キャビティ内を延びることを特徴とする請求項１記載のソケットコネクタ。
【請求項６】
前記ハウジングは、パネル、ＤＩＮレール、回路基板のうち少なくとも一つに前記ハウジングを実装する実装部材を具備することを特徴とする請求項１記載のソケットコネクタ。
【請求項７】
前記複数の端子の前記リレーコンタクト部は、リセプタクルコンタクトを具備することを特徴とする請求項１記載のソケットコネクタ。
【請求項８】
前記複数の端子の前記コネクタコンタクト部は、プラグコンタクトを具備することを特徴とする請求項１記載のソケットコネクタ。
【請求項９】
前記ハウジングの前記リレー実装基部は、複数のリレーリセプタクルを具備し、
前記複数の端子の各々の前記リレーコンタクト部は、対応する１個の前記リレーリセプタクルの内部を延びていることを特徴とする請求項１記載のソケットコネクタ。
【請求項１０】
前記複数の端子の各々の前記リレーコンタクト部及び前記コネクタコンタクト部は、前記端子の対向する両端を有することを特徴とする請求項１記載のソケットコネクタ。
【発明の詳細な説明】
【技術分野】
【０００１】
本発明は、総括的には電磁リレーに関し、特に電磁リレー用のソケットコネクタに関する。
【背景技術】
【０００２】
電磁リレーは、様々な異なる電気接続部を有する。例えば、電磁リレーは、コイル及び１個以上の固定コンタクトを有するのが代表的である。コイルは、リレーの作動中に、コイルに電力を供給するために給電されるよう電源に電気接続される。固定コンタクトは、リレーの電気出力に電気接続される。具体的には、固定コンタクトがリレーの可動コンタクトに係合する際に、可動コンタクト及び固定コンタクトを通る電気経路が閉じられ、これによりリレーから電気を出力する。複数の個別電線は、電源及び電気出力への接続を提供する。リレーは、コイル、固定コンタクト、又は部品を電線に接続するための電磁リレーの別の部品に各々が電気接続される複数の電気コンタクトを有する。
【発明の開示】
【発明が解決しようとする課題】
【０００３】
典型的には、リレーを電源、差込み口（outlet）や他の電気接続部に作動接続するために、各電線がリレーの対応する電気コンタクトと個別に嵌合する。例えば、電線の端部を終端接続する中継コンタクトは、リレーの対応する電気コンタクトに嵌合する。各電線は個別にリレーに嵌合するので、リレーを電源、差込み口や他の電気接続部に作動接続するために、比較的多くの数を個別に接続しなければならない。また、リレーの個別部品は異なる電線に個別に接続される複数の電気コンタクトを有することが多いので、リレーへの個別接続部の数はさらにもっと増加するおそれがある。リレーへの個別接続部のこのような比較的大きな数は、電磁リレーの誤配線を招いたり、リレーを電源、差込み口や他の電気接続部に作動接続することを困難にしたり時間を浪費したりするおそれがある。
【課題を解決するための手段】
【０００４】
解決手段は、相手コネクタに終端接続された複数の電線に電磁リレーを電気接続するためのソケットコネクタにより提供される。ソケットコネクタは、リレー実装基部及び電線コネクタを有する誘電性のハウジングを具備する。リレー実装基部は、少なくとも１個のリレーリセプタクルを具備する。リレー実装基部は、その表面に電磁リレーを受容するよう構成されている。複数の端子がハウジングに保持される。各端子は、リレーコンタクト部と、コネクタコンタクト部とを具備する。リレーコンタクト部は、電磁リレーと電気接続するために少なくとも１個のリレーリセプタクル内を延びる。コネクタコンタクト部は、相手コネクタと電気接続するために電線コネクタ内を延びる。
【０００５】
任意であるが、電線コネクタは、内部に相手コネクタを受容するよう構成された相手コネクタリセプタクルを具備する。ここで、複数の端子のうち少なくともいくつかの端子のコネクタコンタクト部は、相手コネクタリセプタクル内を延びてもよい。複数の端子の各々は、リレーコンタクト部からコネクタコンタクト部までの長さで延びてもよい。ここで、中間リンクが、リレーコンタクト部及びコネクタコンタクト部間に延びると共に、リレーコンタクト部及びコネクタコンタクト部を電気接続する。電線コネクタは、オプションとしてラスター・アンシュルス・ステック・テクニーク（ＲＡＳＴ）コネクタを具備する。ハウジングは内部キャビティを具備し、複数の端子の各々の少なくとも一部はこの内部キャビティ内を延びてもよい。ハウジングは、パネル、ＤＩＮレールや回路基板にハウジングを実装する実装部材を具備してもよい。
【０００６】
複数の端子のリレーコンタクト部は、リセプタクルコンタクトを具備してもよい。複数の端子のコネクタコンタクト部は、プラグコンタクトを具備してもよい。ハウジングのリレー実装基部は複数のリレーリセプタクルを具備し、複数の端子の各々のリレーコンタクト部は対応する１個のリレーリセプタクルの内部を延びてもよい。複数の端子の各々のリレーコンタクト部及びコネクタコンタクト部は、端子の対向する両端を有してもよい。
【０００７】
別の実施形態において、複数の電線を終端接続する相手コネクタと接続するためにソケットコネクタ組立体が提供される。このソケットコネクタ組立体は、リレー実装基部を具備する誘電ハウジング、及び電線コネクタを有するソケットコネクタを具備する。リレー実装基部は、少なくとも１個のリレーリセプタクルを具備する。複数の端子は、ハウジングに保持される。各端子は、リレーコンタクト部及びコネクタコンタクト部を具備する。リレーコンタクト部は、少なくとも１個のリレーリセプタクル内を延びる。コネクタコンタクト部は、相手コネクタに電気接続するために電線コネクタ内を延びる。ソケットコネクタ組立体は、ソケットコネクタのリレー実装基部上に受容される電磁リレーも具備する。電磁リレーは、複数のリレーコンタクトを具備する。各リレーコンタクトは、少なくとも１個のリレーリセプタクル内に受容され、対応する１個の端子のリレーコンタクト部と係合する。
【図面の簡単な説明】
【０００８】
【図１】ソケットコネクタ組立体の典型的な一実施形態を示す斜視図である。
【図２】図１に示されたソケットコネクタ組立体の電磁リレーの典型的な一実施形態を部分的に分解した斜視図である。
【図３】図２に示された電磁リレーの斜視図である。
【図４】図１に示されたソケットコネクタ組立体の相手コネクタの典型的な一実施形態を示す斜視図である。
【図５】図１に示されたソケットコネクタ組立体のソケットコネクタの典型的な一実施形態を示す斜視図である。
【図６】ソケットコネクタのハウジングを破線で示した、図５に示されたソケットコネクタの別の斜視図である。
【発明を実施するための形態】
【０００９】
以下、添付図面を参照して、例示により本発明を説明する。
【００１０】
図１は、ソケットコネクタ組立体１０の典型的な一実施形態を示す斜視図である。ソケットコネクタ組立体１０は、電磁リレー１２、ソケットコネクタ１４、及び１個以上の相手コネクタ１６を具備する。電磁リレー１２は、ソケットコネクタ１４に実装されると共にソケットコネクタ１４に電気接続する。各相手コネクタ１６は、複数の電線１８を終端接続する。相手コネクタ１６は、ソケットコネクタ１４と嵌合すると共にソケットコネクタ１４に電気接続する。後述するように、ソケットコネクタ１４は、電磁リレー１２を複数の電線１８に電気接続する。
【００１１】
典型的な実施形態において、各電線１８は単一の電気導体２０を有する。或いは、１本以上の電線１８が２本以上の導体２０を有する結果、電線１８はケーブルを構成すると考えられてもよい。例えば、実施形態によっては、１本以上の電線１８は、複数の電気導体２０を有するケーブルである。複数の電気導体２０はそれぞれ、別体の絶縁体（図示せず）、及び絶縁電気導体２０を取り囲む絶縁外皮（図示せず）により取り囲まれる。さらに、例えば、実施形態によっては、１本以上の電線１８は同軸ケーブルである。
【００１２】
任意であるが、ソケットコネクタ組立体１０は、任意の構造体や、パネル、ＤＩＮレール、回路基板（但し、これらに限定されない）等に実装される。典型的な実施形態において、ソケットコネクタ組立体１０は回路基板２２上に実装される。具体的には、典型的な実施形態において、ソケットコネクタ１４は、後述するように１個以上の実装部材２４や１個以上の固定具２６を使用して回路基板２２上に実装される。実施形態によっては、ソケットコネクタ１４は、回路基板２２に電気接続される。例えば、ソケットコネクタ１４は、ソケットコネクタ１４の１個以上の電気端子７０（図５及び図６参照）に電力や電気接地を提供する（但し、これらに限定されない）等のために、回路基板２２に電気接続された電気コンタクト（図示せず）を有してもよい。ソケットコネクタ組立体１０は、１個以上の他のソケットコネクタ（図示せず）に隣接する構造体上に実装されてもよい。実施形態によっては、互いに隣接するソケットコネクタ組立体１０は、共に電気接続されてもよい。具体的には、ソケットコネクタ組立体１０の１個以上の電気端子７０は、隣接するソケットコネクタ組立体の１個以上の電気端子（図示せず）に電気接続されてもよい。
【００１３】
図２は、電磁リレー１２の典型的な一実施形態の部分分解斜視図である。電磁リレー１２は、本願出願人から市販されているＴ９２電磁リレーである。或いは、電磁リレー１２は、本願出願人から市販されているＴ９Ａ電磁リレー（但し、これに限定されない）等の他のタイプの電磁リレーである。電磁リレー１２は、基部２８と、基部２８に実装された複数のリレー部品３０と、カバー３２とを具備する。カバー３２及び基部２８は内部キャビティ３４を画定する。カバー３２は基部２８と協働し、内部キャビティ３４内にリレー部品３０を囲む。リレー部品３０は、コイル４０により取り囲まれたコア３８、常開固定コンタクト４２及び常閉固定コンタクト４４を有する。アーマチュア４６が可動ばね４８に取り付けられる。可動コンタクト５０も可動ばね４８に取り付けられる。可動コンタクト５０は、コイル４０を流れる電流に依存して、固定コンタクト４２，４４との係合位置の間を移動する。コイル４０を流れる電流がアーマチュア４６をコア３８に向かって移動させるのに十分である場合には、可動コンタクト５０は固定コンタクト４４と係合するよう移動するので、電磁リレー１２に電力を供給する。アーマチュア４６を移動させるのに十分な電流がコイル４０に無い場合には、可動コンタクト５０は固定コンタクト４２と係合状態にあり、電磁リレー１２に電力が供給されない。典型的な実施形態において、電磁リレー１２は、２個の固定コンタクト４２，４４を具備する。しかし、電磁リレー１２は、任意の数の固定コンタクト４２，４４を有してもよい。さらに、各固定コネクタ４２，４４は、常開固定コンタクトであってもよいし、常閉固定コンタクトであってもよい。
【００１４】
図３は、電磁リレー１２の部分分解斜視図である。図２及び図３を参照すると、基部２８は、電磁リレー１２がソケットコネクタ１４に実装される際にソケットコネクタ１４（図１、図５及び図６参照）と係合する係合面５２を有する。複数のリレーコンタクト５４は、基部２８を貫通すると共に基部２８の係合面５２から外方へ延びる。具体的には、典型的な実施形態において、電磁リレー１２は、コイル４０に電気接続された１対のリレーコンタクト５４ａと、固定コンタクト４２に電気接続された３個のリレーコンタクト５４ｂと、固定コンタクト４４に電気接続された３個のリレーコンタクト５４ｃとを有する。８個のリレーコンタクト５４が図示されているが、電磁リレー１２は、そのリレー部品にそれぞれが電気接続された任意の数のリレーコンタクト５４を有してもよい。典型的な実施形態において、各リレーコンタクト５４は、ソケットコネクタ１４（図１、図５及び図６参照）のリセプタクルコンタクト内に受容されるよう構成されたプラグコンタクトである。或いは、１個以上のリレーコンタクト５４は、ソケットコネクタ１４のプラグコンタクトを受容するよう構成されたリセプタクルコンタクトである。
【００１５】
図４は、相手コネクタ１６ａの典型的な一実施形態を示す斜視図である。各相手コネクタ１６は、ラスター・アンシュルス・ステック・テクニーク（ＲＡＳＴ）コネクタ（但し、これに限定されない）等の任意のタイプのコネクタであってもよい。相手コネクタ１６は、ハウジング５６と、ハウジング５６に保持された複数の電気コンタクト５８とを有する。ハウジング５６は、嵌合端６０から電線入口端６２まで延びる。典型的な実施形態において、ハウジング５６の嵌合端６０は複数のコンタクト溝６４を有する。各電気コンタクト５８は嵌合端６６から終端接続端（図示せず）まで延びる。各電気コンタクト５８の嵌合端６６は、対応する１個のコンタクト溝６４内を延びる。各コンタクト嵌合端６６は、後述するようにソケットコネクタ１４（図１、図５及び図６参照）の対応する電気端子７０（図５及び図６参照）と係合するよう構成される。典型的な実施形態において、各電気コンタクト５８の嵌合端６６は、ソケットコネクタ１４のプラグコンタクトを内部に受容するよう構成されたリセプタクルコンタクトである。或いは、１個以上のコンタクト嵌合端６６は、ソケットコネクタ１４のリセプタクルコンタクト内に受容されるよう構成されたプラグコンタクトである。
【００１６】
典型的な実施形態において、ハウジング５６は、ソケットコネクタ１４の対応する電線コネクタ７４（図５及び図６参照）のリセプタクル７２（図５及び図６参照）内に受容されるよう構成されたプラグ７１を画定する。或いは、ハウジング５６は、ソケットコネクタ１４の対応する電線コネクタ７４のプラグ（図示せず）を受容するよう構成されたリセプタクルを画定する。ハウジング５６の嵌合端６０は、対応する電線コネクタ７４の対応するキー部材７８（図５及び図６参照）と協働する１個以上のキー部材７６を任意で有する。典型的な実施形態において、キー部材７６は延長部８０を有するが、キー部材７６はスロット（図示せず、但し、これに限定されない）等の他の構造体を追加で或いは代わりに有してもよい。
【００１７】
ハウジング５６は、その内部へ電線１８を受容するための電線入口端６２内へ延びる１個以上の開口（図示せず）を有する。典型的な実施形態において、相手コネクタ１６ａのハウジング５６は、２本の電線１８を受容する。しかし、ハウジング５６は、任意の数の電線１８を受容してもよい。各電気コンタクト５８の終端接続端は、開口内を延びており、対応する１本の電線１８の電気導体２０（図１参照）に係合すると共に電気導体２０に電気接続される。２個の電気コンタクト５８が図示されるが、相手コネクタ１６ａは、任意の数の電気コンタクト５８及び任意の数のコンタクト溝６４を有してもよい。
【００１８】
図１を再度参照すると、典型的な実施形態において、ソケットコネクタ組立体１０は、４個の相手コネクタ１６ａ，１６ｂ，１６ｃ，１６ｄを有する。或いは、ソケットコネクタ組立体１０は、他の任意の数の電線１８をソケットコネクタ１４に電気接続ために、対応する任意の数の相手コネクタ１６を有してもよい。電気コンタクト５８及び電線１８の数を除き、相手コネクタ１６ｂ，１６ｃ，１６ｄは、相手コネクタ１６ａとほぼ同様であるので、詳細に説明しない。
【００１９】
図５は、ソケットコネクタ１４の典型的な一実施形態の斜視図である。図６は、ソケットコネクタ１４のハウジング８２を破線で示したソケットコネクタ１４の別の斜視図である。ソケットコネクタ１４のハウジング８２は、一端８４から反対側の端８６までの長さで延びる。ハウジング８２は、実装側８８からリレー側９０までの高さで延びる。リレー側９０は、電磁リレー１２（図１ないし図３参照）を受容するよう構成されたリレー実装基部９２を有する。具体的には、リレー実装基部９２は、電磁リレー１２がソケットコネクタ１４のハウジング８２上に実装される際に、電磁リレー１２の係合面５２（図２及び図３参照）と係合する。ソケットコネクタ１４のハウジング８２は、任意の構造体や、パネル、ＤＩＮレール、回路基板（但し、これらに限定されない）等にソケットコネクタ１４を実装するための実装部材２４を有する。典型的な実施形態において、実装部材２４は、開口１０８を有するフランジ１０６を具備する。開口１０８は、ハウジング８２を回路基板２２（図１参照）に保持するために、回路基板２２に接続する固定具２６（図１参照）を受容する。フランジ１０６や開口１０８に加えて、或いはそれらの代わりに、ハウジング８２は、任意の構造体にハウジング８２を固定するために、任意のタイプの実装部材２４や実装部材２４の構造体を有してもよい。
【００２０】
ハウジング８２のリレー側９０は電線コネクタ７４を有する。電線コネクタ７４は、ラスター・アンシュルス・ステック・テクニーク（ＲＡＳＴ）コネクタ（但し、これに限定されない）等の任意のタイプのコネクタであってもよい。典型的な実施形態において、各電線コネクタ７４は、対応する相手コネクタ１６（図１及び図４参照）のプラグ７１（図４参照）を受容するリセプタクル７２を画定する。各々の電線コネクタ７４は、対応する相手コネクタ１６の対応するキー部材７６（図４参照）と協働する１個以上のキー部材７８を任意で有する。典型的な実施形態において、キー部材７８はスロット９４を具備する。追加で或いは代わりに、キー部材７８は、延長部９５等の他の構造体を有するが、これに限定されない。４個の電線コネクタ７４が図示されているが、ハウジング８２は、任意の数の相手コネクタ１６に接続するために任意の数の電線コネクタ７４を有してもよい。
【００２１】
ソケットコネクタ１４のハウジング８２は、リレー実装基部９２に沿ってリレー側９０内に延びる複数のリレーリセプタクル９６を有する。各リレーリセプタクル９６は、電磁リレー１２の対応する１個のリレーコンタクト５４（図２及び図３参照）を内部に受容するよう構成される。典型的な実施形態において、ハウジング８２は８個のリレーリセプタクル９６を有する。しかし、ハウジング８２は、任意の数のリレーリセプタクル９６を有してもよい。さらに、各リレーリセプタクル９６は典型的な実施形態では電磁リレー１２の単一のリレーコンタクト５４を内部に受容するが、１個以上のリレーリセプタクル９６が２個以上のリレーコンタクト５４を内部に受容してもよい。
【００２２】
ソケットコネクタ１４は複数の電気端子７０を有する。具体的には、ハウジング８２は、各端子７０の少なくとも一部を内部に保持する１個以上の内部キャビティ９８を有する。図６を参照すると、端子７０ａ，７０ｂ，７０ｃは、リレーコンタクト部１００からコネクタコンタクト部１０２までの長さで延びる。中間リンク１０４が、端子７０ａ，７０ｂ，７０ｃのリレーコンタクト部１００及びコネクタコンタクト部１０２間を延びると共にリレーコンタクト部１００及びコネクタコンタクト部１０２を接続する。典型的な実施形態において、各端子７０ａ，７０ｂ，７０ｃのリレーコンタクト部１００及びコネクタコンタクト部１０２は、端子７０の対向する両端部を有する。各端子７０ａ，７０ｂ，７０ｃのリレーコンタクト部１００は、電磁リレー１２の対応するリレーコンタクト５４と係合し且つ電気接続するために、対応する１個のリレーリセプタクル９６内を延びる。典型的な実施形態において、単一のリレーコンタクト部１００は、各リレーリセプタクル９６内に保持される。或いは、２個以上のリレーコンタクト部１００が１個以上のリレーリセプタクル９６内に保持される。典型的な実施形態では対応するリレーコンタクト５４を各リレーコンタクト部１００がその内部に受容するよう構成されたリセプタクルコンタクトであるが、１個以上のリレーコンタクト部１００は、電磁リレー１２のリセプタクルコンタクトに受容されるよう構成されたプラグコンタクトであってもよい。
【００２３】
各端子７０のコネクタコンタクト部１０２は、対応する相手コネクタ１６の対応する電気コンタクト５８と係合し且つ電気接続するために、対応する１個の電線コネクタ７４内を延びる。任意の数のコネクタコンタクト部１０２が各電線コネクタ７４内に保持されてもよい。典型的な実施形態において、各コネクタコンタクト部１０２は、対応する相手コネクタ１６の対応する電気コンタクト５８に受容されるよう構成されたプラグコンタクトである。１個以上のコネクタコンタクト部１０２は、対応する相手コネクタ１６の対応する電気コンタクト５８を内部に受容するよう構成されたリセプタクルコンタクトであってもよい。
【００２４】
ソケットコネクタ１４は任意の数の端子７０を有してもよいが、典型的な実施形態において、ソケットコネクタ１４は１０個の端子７０を具備する。具体的には、端子７０は、リレーコンタクト部１００が電磁リレー１２のリレーコンタクト５４ａ（図２及び図３参照）と係合し且つ電気接続するよう構成される１対の端子７０ａと、リレーコンタクト部１００が電磁リレー１２のリレーコンタクト５４ｂ（図２及び図３参照）と係合し且つ電気接続するよう構成される３個の端子７０ｂと、リレーコンタクト部１００が電磁リレー１２のリレーコンタクト５４ｃ（図２及び図３参照）と係合し且つ電気接続するよう構成される３個の端子７０ｃとを具備する。典型的な実施形態において、ソケットコネクタ１４は、端子７０ａ，７０ｂ，７０ｃ延いては電磁リレー１２に電力や電気接地を提供するために、１個以上の電力端子や接地端子７０ｄも有する。電力端子７０ｄは、端子７０ａ，７０ｂ，７０ｃのいくつか又は全てに接続されており、リレーコンタクト部１００を有していない。
【００２５】
図１及び図６を参照すると、電磁リレー１２の係合面５２（図６に不図示）がリレー実装基部９２と係合するように、電磁リレー１２（図６に不図示）は、ソケットコネクタハウジング８２のリレー実装基部９２上に受容される。電磁リレー１２の各リレーコンタクト５４（図２及び図３参照）は、ソケットコネクタ１４の対応するリレーリセプタクル９６（図１では見えない）内に受容される。各リレーコンタクト５４は、対応するリレーリセプタクル９６のリレーコンタクト部１００（図１では見えない）と係合し且つ電気接続される。具体的には、リレーコンタクト５４ａは端子７０ａのリレーコンタクト部１００と係合し且つ電気接続され、リレーコンタクト５４ｂは端子７０ｂのリレーコンタクト部１００と係合し且つ電気接続され、リレーコンタクト５４ｃは端子７０ｃのリレーコンタクト部１００と係合し且つ電気接続される。これにより、電磁リレー１２のコイル４０（図２参照）は端子７０ａに電気接続され、電磁リレー１２の固定コンタクト４２（図２参照）は端子７０ｂに電気接続され、電磁リレー１２の固定コンタクト４４（図２参照）は端子７０ｃに電気接続される。相手コネクタ１６ａ，１６ｂ，１６ｃ，１６ｄのプラグ７１（図４参照）はそれぞれ、対応する電線コネクタ７４のリセプタクル７２（図１では見えない）内に受容される。相手コネクタ１６ａ，１６ｂ，１６ｃ，１６ｄの電気コンタクト５８（図４参照）は、対応する端子７０ａ，７０ｂ，７０ｃ，７０ｄのコネクタコンタクト部１０２（図１では見えない）それぞれ係合し且つ電気接続される。従って、ソケットコネクタ１４は、相手コネクタ１６の電線１８（図６に不図示）を電磁リレー１２に電気接続する。具体的には、ソケットコネクタ１４の端子７０ａは電磁リレー１２のコイル４０を相手コネクタ１６ａの電線１８に電気接続し、端子７０ｂは電磁リレー１２の固定コンタクト４２を相手コネクタ１６ｂの電線１８に電気接続し、端子７０ｃは電磁リレー１２の固定コンタクト４４を相手コネクタ１６ｃの電線１８に電気接続する。端子７０ｄは、相手コネクタ１６ｄの電線１８を他の端子７０ａ，７０ｂ，７０ｃのいくつか又は全てに電気接続する。
【００２６】
本明細書で説明した実施形態は、誤配線のおそれが少ない電磁リレーを提供することができる。本明細書で説明した実施形態は、電源、電磁リレーの電気差込み口や他の電気接続部に作動接続することを容易にしたり時間の浪費を少なくしたりする電磁リレーを提供することができる。
【符号の説明】
【００２７】
１２    電磁リレー
１４    ソケットコネクタ
１６    相手コネクタ
１８    電線
２４    実装部材
７０    端子
７４    電線コネクタ
８２    誘電ハウジング
９２    リレー実装基部
９６    リレーリセプタクル
９８    内部キャビティ
１００  リレーコンタクト部
１０２  コネクタコンタクト部
１０４  中間リンク
【図１】
2012529146.tif 000003
【図２】
2012529146.tif 000004
【図３】
2012529146.tif 000005
【図４】
2012529146.tif 000006
【図５】
2012529146.tif 000007
【図６】
2012529146.tif 000008
【国際調査報告】
2012529146.tif 000009
2012529146.tif 000010
2012529146.tif 000011